(57)【要約】      （修正有）【課題】シート上に印字できるとともに、電話機の表面のデザインを有効的に活用することができる電話機用シート、電話機用シートユニット及び電話機システムを提供する。【解決手段】複数のボタンを有する電話機１０の表面に設けられる電話機用シートであって、複数のボタンの形状に対応する形状の複数の孔３６が設けられ、透明な材料で形成されたシート本体３５と、シート本体３５の孔３６の周囲に設けられ、シート本体３５とは異なる色であるとともに印字可能とされた印字部４０と、を有することを特徴とする。【選択図】図１
0003196629.tif 000002
【実用新案登録請求の範囲】
【請求項１】
複数のボタンを有する電話機の表面に設けられる電話機用シートであって、
前記複数のボタンの形状に対応する形状の複数の孔が設けられ、透明な材料で形成されたシート本体と、
該シート本体における前記孔の周囲に設けられ、前記シート本体とは異なる色であるとともに印字可能とされた印字部と、を備えることを特徴とする電話機用シート。
【請求項２】
前記複数のボタンは、横方向及び縦方向に間隔を有して配列され、
前記印字部は、前記孔の前記縦方向一方側と隣接する前記孔の前記縦方向一方側とにわたるように、前記横方向に延びる帯状に設けられていることを特徴とする請求項１に記載の電話機用シート。
【請求項３】
請求項１または２に記載の電話機用シートが複数配置され、
各該電話機用シートの縁部には、ミシン目が設けられていることを特徴とする電話機用シートユニット。
【請求項４】
複数のボタンを有する電話機と、
請求項３に記載の電話機用シートユニットと、を備えることを特徴とする電話機システム。
【考案の詳細な説明】
【技術分野】
【０００１】
本考案は、電話機用シート、電話機用シートユニット及び電話機システムに関するものである。
【背景技術】
【０００２】
従来から、会社や店舗等には、ワンタッチや電話帳機能等を有する多機能電話機が設置されている。この多機能電話機の表面には、各種ボタンに対応したボタン孔が設けられた多機能電話機用ボタンシート用紙が載置されている（下記特許文献１参照）。この多機能電話機用ボタンシート用紙には、ボタン孔の周囲に、ボタン孔に挿通された各種ボタンの名称を印字することができる。利用者は、印字された文字を読むことで、ボタンの種類を判別することができる。
【先行技術文献】
【特許文献】
【０００３】
【特許文献１】実用新案登録第３０８２６５７号公報
【考案の概要】
【考案が解決しようとする課題】
【０００４】
上記の特許文献１に記載の多機能電話機用ボタンシート用紙は電話機の表面を覆うように配置され、電話機の表面のデザインが覆い隠される。このため、電話機の表面に装飾等が施された電話機では、その装飾が見えなくなってしまう。よって、電話機の表面のデザインを有効的に活用できるシートが望まれている。
【０００５】
本考案は、上記事情に鑑みてなされたものであり、シート上に印字できるとともに、電話機の表面のデザインを有効的に活用することができる電話機用シート、電話機用シートユニット及び電話機システムを提供するものである。
【課題を解決するための手段】
【０００６】
上記目的を達成するために、本考案は以下の手段を採用している。
すなわち、本考案に係る電話機用シートは、複数のボタンを有する電話機の表面に設けられる電話機用シートであって、前記複数のボタンの形状に対応する形状の複数の孔が設けられ、透明な材料で形成されたシート本体と、該シート本体における前記孔の周囲に設けられ、前記シート本体とは異なる色であるとともに印字可能とされた印字部と、を備えることを特徴とする。
【０００７】
このように構成された電話機用シートでは、シート本体と異なる色で構成された印字部に印字をすることができる。また、シート本体は透明な材料で形成されているため、電話機の表面のデザインをシート本体を通して視認することができる。よって、電話機の表面のデザインを有効活用することができる。
【０００８】
また、本考案に係る電話機用シートは、前記複数のボタンは、横方向及び縦方向に間隔を有して配列され、前記印字部は、前記孔の前記縦方向一方側と隣接する前記孔の前記縦方向一方側とにわたるように、前記横方向に延びる帯状に設けられていることが好ましい。
【０００９】
このように構成された電話機用シートでは、印字部が孔の縦方向一方側と隣接する孔の縦方向一方側とにわたるように、横方向に延びる帯状に設けられているため、各ボタンに対応する横方向の幅寸法以上の範囲にわたって印字することができる。よって、印字する文字数が多い場合等にも対応することができる。
【００１０】
また、本考案に係る電話機用シートユニットは、上記のいずれか一に記載の電話機用シートが複数配置され、各該電話機用シートの縁部には、ミシン目が設けられていることを特徴とする。
【００１１】
このように構成された電話機用シートユニットでは、電話機用シートの縁部に設けられたミシン目に沿って、各電話機用シートを切り離すことができるため、利便性が高い。
【００１２】
また、本考案に係る電話機システムは、複数のボタンを有する電話機と、上記に記載の電話機用シートユニットと、を備えることを特徴とする。
【００１３】
このように構成された電話機システムでは、シート本体と異なる色で構成された印字部に印字をすることができる。また、シート本体は透明な材料で形成されているため、電話機の表面のデザインをシート本体を通して視認することができる。よって、電話機の表面のデザインを有効活用することができる。
【考案の効果】
【００１４】
本考案に係る電話機用シート、電話機用シートユニット及び電話機システムによれば、シート上に印字できるとともに、電話機のデザインを有効的に活用することができる。
【図面の簡単な説明】
【００１５】
【図１】本考案の一実施形態に係る電話機において、電話機用シートが載置された状態の正面図である。
【図２】本考案の一実施形態に係る電話機において、電話機用シートが載置されていない状態の正面図である。
【図３】本考案の一実施形態に係る電話機用シートユニットにおける印字前の平面図である。
【図４】本考案の一実施形態に係る電話機用シートユニットにおける印字後の平面図である。
【考案を実施するための形態】
【００１６】
以下、本考案の一実施形態に係る電話機システムについて説明する。
図１は、本考案の一実施形態に係る電話機において、電話機用シートが載置された状態の正面図である。
図１に示すように、電話機システム１は、電話機１０と、電話機１０の表面１０Ｔに載置される電話機用シート３０と、を備えている。
ここで、便宜上、電話機１０の幅方向（図１に示す紙面左右方向）を横方向とし、電話機１０の幅方向に交差する方向（図１に示す紙面上下方向）であって電話機１０の表面１０Ｔに沿う方向を縦方向とする。
【００１７】
まず、電話機１０について説明する。
図２は、電話機１０において、電話機用シート３０が載置されていない状態の正面図である。
図２に示すように、電話機１０は、操作基部１１と、操作基部１１の縦方向一方側に設けられディスプレイ１２Ａを有するディスプレイ部１２と、操作基部１１に設けられたスピーカ１３と、操作基部１１とコードＣで接続された受話器１４と、を備えている。
本実施形態では、電話機１０は所謂多機能電話機が採用されている。電話機１０の構成は、適宜設定可能である。
【００１８】
操作基部１１には、複数のダイヤルボタンＢ１が配列されたダイヤルボタン部２１と、外線及び内線等の回線に相当する電話番号が予め登録されたボタンＢ２や保留等の機能が登録されたボタンＢ２等からなる機能ボタン部２２と、他の各種ボタンＢ３からなるサイドボタン部２３とが、設けられている。
【００１９】
本実施形態では、機能ボタン部２２は、横方向に６個、縦方向に４個の配列された合計２４個のボタンＢ２により構成されている。なお、当該ボタンＢ２の数は、横方向に６個、縦方向に３個や、横方向に６個、縦方向に６個等、適宜設定可能である。
【００２０】
次に、電話機用シート３０について説明する。
電話機用シート３０は、印字された電話機用シートユニット３の一部が切り離されたものであり、電話機１０の機能ボタン部２２に配置されている。
【００２１】
図３は、電話機用シートユニット３における印字前の平面である。図４は、電話機用シートユニット３における印字後の平面図である。
図３に示すように、電話機用シートユニット３は、透明な材料により形成されている。本実施形態では、電話機用シートユニット３は、例えばポリエチレンテレフタレート（ＰＥＴ）等で成型された無色透明なフィルムであって、一定の強度を有しつつ、切り離しの際に大きな力を要しない構成とされている。
【００２２】
電話機用シートユニット３は、平面視略矩形状に形成されている。電話機用シートユニット３において、四隅のうち一箇所隅部には、隣接する辺部Ｈ１，Ｈ２同士を斜めに結ぶように傾斜辺部Ｋが設けられている。電話機用シートユニット３には傾斜辺部Ｋが設けられているため、プリンタで電話機用シートユニット３を印刷する時に電話機用シートユニット３の挿入方向を識別しやすい。また、使用者は、机（不図示）や作業台（不図示）等に載置された電話機用シートユニット３の傾斜辺部Ｋに指をかけて、電話機用シートユニット３を机等の表面から容易に離して持ち上げることができる。さらに、傾斜辺部Ｋは電話機用シートユニット３の角（直角）を落とすようにして形成されているため、使用者が電話機用シートユニット３を持ち上げる際に、傾斜辺部Ｋに指をかけることで指の不用意な怪我を防止することができる。
【００２３】
電話機用シートユニット３には、傾斜辺部Ｋの近傍には、カタカナで「オモテ」の文字が印刷されている。これにより、使用者は「オモテ」の文字の表裏により、電話機用シートユニット３の表裏を判別することができる。
【００２４】
電話機用シートユニット３には、縦方向に２個、横方向に２個の電話機用シート３０，３０…が間隔を有して配置されている。各電話機用シート３０は、電話機用シートユニット３の辺部Ｈ１，Ｈ２，Ｈ３，Ｈ４よりも内側に配置されている。
【００２５】
各電話機用シート３０の縁部には、ミシン目３１が設けられている。ミシン目３１は、矩形に形成されている。
【００２６】
さらに、電話機用シートユニット３には、各辺部Ｈ１，Ｈ２，Ｈ３，Ｈ４と各電話機用シート３０の縁部とを結ぶようにミシン目３２Ａ，３２Ｂ，３２Ｃ，３２Ｄが設けられている。ミシン目３２Ａは、電話機用シート３０のミシン目３１の横方向略中央と辺部Ｈ１とを縦方向に結んでいる。ミシン目３２Ｂは、電話機用シート３０のミシン目３１の縦方向略中央と辺部Ｈ２とを横方向に結んでいる。ミシン目３２Ｃは、電話機用シート３０のミシン目３１の横方向略中央と辺部Ｈ３とを縦方向に結んでいる。ミシン目３２Ｄは、電話機用シート３０のミシン目３１の縦方向略中央と辺部Ｈ４とを横方向に結んでいる。
【００２７】
さらに、電話機用シートユニット３には、隣接する電話機用シート３０，３０同士を結ぶようにミシン目３３Ａ，３３Ｂが設けられている。ミシン目３３Ａは、縦方向に配置された電話機用シート３０のミシン目３１の横方向略中央同士を縦方向に結んでいる。ミシン目３３Ｂは、横方向に配置された電話機用シート３０のミシン目３１の縦方向略中央同士を横方向に結んでいる。
これらミシン目３１，３２Ａ〜３２Ｄ，３３Ａ，３３Ｂは、電話機用シートユニット３を厚み方向の途中部分まで切込みが入れられた構成とされている。なお、ミシン目３１，３２Ａ〜３２Ｄ，３３Ａ，３３Ｂは、電話機用シートユニット３を貫通する小孔が線状に配置されることにより構成されていてもよい。
【００２８】
各電話機用シート３０は、透明な材料で矩形に形成されたシート本体３５を有している。上記のとおり、本実施形態では、シート本体３５は、無色透明なフィルムにより形成されている。
【００２９】
シート本体３５には、電話機１０の機能ボタン部２２の各ボタンＢ２に対応する貫通孔であるボタン孔（孔）３６が形成されている。本実施形態では、電話機用シート３０には、横方向に６個、縦方向に４個のボタン孔３６が間隔を有して設けられている。
【００３０】
電話機用シート３０において、各ボタン孔Ｂ２の縦方向一方側（平面視上側）には、印字部４０が設けられている。印字部４０は、左端のボタンＢ２よりも左方から、右端のボタンＢ２よりも右方にわたって、帯状に設けられている。印字部４０は、縦方向４個のボタンＢ２に対応して、縦方向に４個設けられている。
【００３１】
印字部４０は、シート本体３５とは異なる色をなし、印字可能とされている。本実施形態では、印字部４０は、表面が白色、裏側がシルバー色をなしている。これにより、印字部４０では、シート本体３５の透明感を確実に抑えることができる。
【００３２】
このように構成された電話機システムで１では、シート本体３５と異なる色で構成された印字部４０に印字をすることができる。また、シート本体３５は透明な材料で形成されているため、電話機１０の表面１０Ｔのデザインをシート本体３５を通して視認することができる。よって、電話機１０の表面１０Ｔのデザインや色調を有効活用することができる。
【００３３】
また、印字部４０が左端のボタンＢ２よりも左方から右端のボタンＢ２よりも右方にわたって帯状に設けられているため、各ボタンＢ２に対応する横方向の幅寸法以上の範囲にわたって印字することができる。よって、図１に示すようにボタンＢ２の幅寸法よりも広い範囲にわたって印刷することができるため、印字する文字数が多い場合等にも対応することができる。
【００３４】
また、電話機用シートユニット３の各辺部Ｈ１，Ｈ２，Ｈ３，Ｈ４と各電話機用シート３０の縁部とを結ぶように、ミシン目３２Ａ，３２Ｂ，３２Ｃ，３２Ｄが設けられている。よって、電話機用シート３０が、電話機用シートユニット３の辺部Ｈ１，Ｈ２，Ｈ３，Ｈ４よりも内側に配置されていても、ミシン目３２Ａ，３２Ｂ，３２Ｃ，３２Ｄに沿って切り離し、その後電話機用シート３０の縁部に設けられたミシン目３１やミシン目３３Ａ，３３Ｂに沿って切り離すことで、各電話機用シート３０の切り離し作業を容易に且つ確実に行うことができる。
【００３５】
また、ミシン目３２Ａ〜３２Ｄ，３３Ａ，３３Ｂは、ミシン目３１の横方向略中央や縦方向略中央に設けられており、ミシン目３１の各辺の線方向の延長線上や延長線近辺には設けられていない。よって、電話機用シートユニット３の経年劣化により、ミシン目３１に沿って不用意に切り離されることを抑制することができる。
【００３６】
また、上述した実施の形態において示した各構成部材の諸形状や組み合わせ等は一例であって、本考案の主旨から逸脱しない範囲において設計要求等に基づき種々変更可能である。
【００３７】
例えば、上記に示す実施形態では、シート部は、無色透明に構成されているが、本考案はこれに限られず、透明に構成されていれば有色透明であってもよい。
【符号の説明】
【００３８】
１…電話機システム
３…電話機用シートユニット
１０…電話機
３０…電話機用シート
３１，３２，３３…ミシン目
３５…シート本体
３６…ボタン孔（孔）
４０…印字部
Ｂ２…ボタン
【図１】
0003196629.tif 000003
【図２】
0003196629.tif 000004
【図３】
0003196629.tif 000005
【図４】
0003196629.tif 000006